(57)【要約】【課題】簡易に操作できるプロジェクターを提供すること。【解決手段】プロジェクター１Ａは、入力される画像情報に応じた入力画像を投射して、当該入力画像を表示させる画像表示手段２と、入力画像が表示される入力画像領域の外側に設定された監視領域の状態を監視する監視手段（撮像手段）３と、監視手段３による監視結果に基づいて、監視領域が操作されたか否かを判定する判定手段（撮像画像取得部５５及び変化判定部５７）と、判定手段により監視領域が操作されたと判定されると、当該監視領域に応じた所定の処理を実行する実行手段（実行部）６０と、を備える。【選択図】図１
2011209531.tif 000002
【特許請求の範囲】
【請求項１】
入力される画像情報に応じた入力画像を投射して、当該入力画像を表示させる画像表示手段と、
前記入力画像が表示される入力画像領域の外側に設定された監視領域の状態を監視する監視手段と、
前記監視手段による監視結果に基づいて、前記監視領域が操作されたか否かを判定する判定手段と、
前記判定手段により前記監視領域が操作されたと判定されると、当該監視領域に応じた所定の処理を実行する実行手段と、を備える
ことを特徴とするプロジェクター。
【請求項２】
請求項１に記載のプロジェクターにおいて、
前記監視手段は、少なくとも前記監視領域を撮像する撮像手段であり、
前記判定手段は、
前記撮像手段により撮像された撮像画像を取得する撮像画像取得部と、
前記撮像画像と、当該撮像画像の直前に取得された前記撮像画像とを比較して、前記監視領域に変化が生じたか否かを判定することで、当該監視領域が操作されたか否かを判定する変化判定部と、を備える
ことを特徴とするプロジェクター。
【請求項３】
請求項１又は請求項２に記載のプロジェクターにおいて、
前記監視領域の位置を示す表示を行う領域表示手段を備える
ことを特徴とするプロジェクター。
【請求項４】
請求項３に記載のプロジェクターにおいて、
前記領域表示手段は、前記画像表示手段に、前記監視領域に応じた位置に所定の画像を表示させる
ことを特徴とするプロジェクター。
【請求項５】
請求項３に記載のプロジェクターにおいて、
前記領域表示手段は、前記監視領域に応じた位置を、前記画像表示手段から出射される光とは異なる光により照明する
ことを特徴とするプロジェクター。
【発明の詳細な説明】
【技術分野】
【０００１】
本発明は、プロジェクターに関する。
【背景技術】
【０００２】
従来、光源から出射された光束を変調して、画像情報に応じた画像光を形成し、当該画像光をスクリーン等の被投射面上に拡大投射するプロジェクターが知られている。このようなプロジェクターは、比較的大きな画像を簡易に表示することが可能であるので、学校及び企業における会議及びプレゼンテーションや、ホームシアター等の用途に広く利用されている。
【０００３】
ここで、プロジェクターには、当該プロジェクターの設定や操作を行うためのキーが配設された操作パネルが設けられることが多い。しかしながら、使用者（例えば、プレゼンテーションの演者）がプロジェクターから離れている場合には、操作パネルのキーを入力するために、当該プロジェクターに近寄らなければならないという問題がある。
一方、プロジェクターは、机や台等の設置面に載置される正置き姿勢で配置される場合と、当該正置き姿勢とは上下を逆にした状態で天井等に取り付けられる天吊り姿勢で配置される場合がある。このような天吊り姿勢では、プロジェクターに設けられた操作パネルのキーを入力しづらいという問題がある。
このような問題に対して、リモコンを備えたプロジェクターが知られている（例えば、特許文献１参照）。
【先行技術文献】
【特許文献】
【０００４】
【特許文献１】特開２００８−１１３０７４号公報
【発明の概要】
【発明が解決しようとする課題】
【０００５】
しかしながら、プロジェクターを用いてプレゼンテーションを行う場合、演者はリモコンを持っていないことが多い。このような場合、プロジェクターを操作するために、演者はリモコンを探すなどする必要がある。このため、他の方法で簡易に操作可能なプロジェクターが要望されてきた。
【０００６】
本発明の目的は、簡易に操作できるプロジェクターを提供することである。
【課題を解決するための手段】
【０００７】
前記した目的を達成するために、本発明のプロジェクターは、入力される画像情報に応じた入力画像を投射して、当該入力画像を表示させる画像表示手段と、前記入力画像が表示される入力画像領域の外側に設定された監視領域の状態を監視する監視手段と、前記監視手段による監視結果に基づいて、前記監視領域が操作されたか否かを判定する判定手段と、前記判定手段により前記監視領域が操作されたと判定されると、当該監視領域に応じた所定の処理を実行する実行手段と、を備えることを特徴とする。
【０００８】
なお、監視領域に対して行われる操作としては、例えば、使用者の身体の一部及び指し棒等の物体により当該監視領域が覆われること、及び、レーザーポインター等の光が入射されること等が挙げられる。また、所定の処理は、例えば、リモコンにより操作及び実行されるプロジェクターの処理と同様の処理を挙げることができる。このような処理として、例えば、黒画像を表示する「ミュート」、表示画像を更新しない「フリーズ」、設定画面（メニュー画面）の表示、カラーモード切替、及び、黒板への投射に対応した黒板モードへの切替等が挙げられる。
【０００９】
本発明によれば、入力画像が表示される入力画像領域の外側に設定された監視領域を操作することにより、当該監視領域に応じた所定の処理を実行手段に実行させることができる。これによれば、リモコンに依らずに、プロジェクターを操作できる。従って、リモコンを探す手間を省くことができ、簡易にプロジェクターを操作できる。
また、監視領域は、入力画像領域の外側に設定されるので、当該監視領域に対する操作の際に、表示される入力画像の一部が視認できなくなる事態を避けることができる。従って、入力画像の表示を妨げることなく、プロジェクターを操作できる。
【００１０】
本発明のプロジェクターでは、前記監視手段は、少なくとも前記監視領域を撮像する撮像手段であり、前記判定手段は、前記撮像手段により撮像された撮像画像を取得する撮像画像取得部と、前記撮像画像と、当該撮像画像の直前に取得された前記撮像画像とを比較して、前記監視領域に変化が生じたか否かを判定することで、当該監視領域が操作されたか否かを判定する変化判定部と、を備えることが好ましい。
【００１１】
なお、このような撮像手段としては、プロジェクターの投射方向と、画像が投射される被投射面とが傾斜している場合に生じる表示画像の歪みを補正する台形補正時に利用される撮像手段を利用することも可能である。
ここで、監視手段の他の構成としては、赤外線等の光を監視領域に応じた位置に出射し、当該監視領域にて反射された光を受光素子により受光することで、当該監視領域が操作されたか否かを判定する構成が考えられる。しかしながら、このような構成では、監視領域が比較的大きな面積を有する場合に、当該監視領域の全域に光を照射することが難しいという問題がある。また、監視領域にて反射された光が入射される位置に受光素子を設ける必要があり、設置面に対して傾斜して利用される場合があるプロジェクターでは、当該受光素子の位置調整が難しいという問題がある。
【００１２】
これに対し、本発明では、監視手段は、少なくとも監視領域を撮像する撮像手段により構成され、変化判定部が、撮像画像取得部により取得される撮像画像に基づいて監視領域に変化が生じたか否かを判定する。これによれば、比較的大きな面積を有する監視領域の一部に変化が生じた場合でも、撮像画像と、当該撮像画像の直前に取得された撮像画像とにおける監視領域の画像を比較することで、当該各画像に変化が生じたか否か、すなわち、監視領域が操作されたか否かを判定できる。従って、監視領域に対する操作を適切に検出及び判定できる。
【００１３】
本発明のプロジェクターでは、前記監視領域の位置を示す表示を行う領域表示手段を備えることが好ましい。
本発明によれば、監視領域の位置が表示されるので、当該監視領域の位置を把握しやすくすることができる。従って、監視領域に対する操作を容易に行うことができ、当該監視領域に応じた処理を実行するプロジェクターの操作性を向上できる。
【００１４】
本発明のプロジェクターでは、前記領域表示手段は、前記画像表示手段に、前記監視領域に応じた位置に所定の画像を表示させることが好ましい。
本発明によれば、画像表示手段により、監視領域に応じた位置に所定の画像が表示されるので、当該監視領域を視覚化させる構成を別途設ける必要がない。従って、監視領域の視覚化のためにプロジェクターの部品点数及び製造コストが増加することを抑制できる。
【００１５】
本発明のプロジェクターでは、前記領域表示手段は、前記監視領域に応じた位置を、前記画像表示手段から出射される光とは異なる光により照明することが好ましい。
ここで、画像表示手段が、監視領域に応じた位置に所定の画像を表示する場合には、当該画像表示手段にて画像が形成される画像形成領域の一部を当該所定の画像の形成に割く必要があり、当該画像形成領域において入力画像の形成に利用される領域が小さくなる。
これに対し、本発明では、画像表示手段から出射される光とは異なる光により、監視領域が視覚化されるので、当該画像表示手段の画像形成領域の全域で入力画像を形成できる。従って、監視領域を視覚化できるほか、表示される入力画像の解像度が低くなることを抑制できる。
【図面の簡単な説明】
【００１６】
【図１】本発明の第１実施形態に係るプロジェクターの構成を示すブロック図。
【図２】前記実施形態における表示領域と監視領域との位置関係を示す図。
【図３】前記実施形態における監視処理を示すフローチャート。
【図４】前記実施形態における表示画像の遷移を示す図。
【図５】本発明の第２実施形態に係るプロジェクターの構成を示すブロック図。
【図６】前記実施形態における監視処理を示すフローチャート。
【図７】前記実施形態における表示画像の遷移を示す図。
【図８】本発明の第３実施形態に係るプロジェクターの構成を示すブロック図。
【図９】前記実施形態における表示画像を示す図。
【図１０】前記実施形態の変形であるプロジェクターの構成を示すブロック図。
【図１１】本発明の第４実施形態に係るプロジェクターの構成を示すブロック図。
【図１２】前記実施形態における監視領域に生じた変化の順序を示す図。
【図１３】前記実施形態における監視処理を示すフローチャート。
【図１４】本発明の第５実施形態に係るプロジェクターの構成を示すブロック図。
【図１５】前記実施形態における表示画像の遷移を示す図。
【発明を実施するための形態】
【００１７】
〔第１実施形態〕
以下、本発明の第１実施形態を図面に基づいて説明する。
図１は、本実施形態に係るプロジェクター１Ａの構成を示すブロック図である。
本実施形態に係るプロジェクター１Ａは、内部に設けられた光源から出射された光束を変調して、入力される画像情報に応じた画像光を形成し、当該画像光をスクリーンＳＣの被投射面上に拡大投射するものである。また、このプロジェクター１Ａは、当該画像情報に応じた画像が表示される領域の外側に設定された複数の監視領域に対する操作を監視し、監視領域が操作された場合に、当該監視領域に応じた所定の処理を実行する。
このようなプロジェクター１Ａは、図１に示すように、画像表示手段２、撮像手段３、操作手段４及び制御手段５Ａを有する。
【００１８】
〔画像表示手段の構成〕
画像表示手段２は、制御手段５Ａから画像信号として入力される駆動信号に応じた画像光を形成及び投射して、当該画像光に応じた画像を被投射面上に表示する。この画像表示手段２は、光源装置２１、光変調装置２２及び投射光学装置２３を備える。
光源装置２１は、高圧水銀ランプ等の光源ランプ及び反射鏡であるリフレクター、或いはＬＥＤ等の固体光源を備え、光変調装置２２に光束を照射する。
【００１９】
光変調装置２２は、詳しい図示を省略するが、光源装置２１から出射された光束を前述の駆動信号に応じて変調して、当該駆動信号に応じた画像を形成する。この光変調装置２２は、本実施形態では、液晶パネルを備える構成であるが、これに限定されるものではなく、マイクロミラーを用いたデバイス等、液晶以外の構成を採用してもよい。
投射光学装置２３は、光変調装置２２により形成された画像を前述の被投射面上に拡大投射する。この投射光学装置２３は、鏡筒と、当該鏡筒内に収納される複数のレンズとを備えた組レンズとして構成されている。
【００２０】
〔撮像手段の構成〕
撮像手段３は、本発明の監視手段を構成し、制御手段５Ａの制御の下、画像表示手段２により画像全体が表示される領域（以下「表示領域」という場合がある）を含む領域を撮像する。具体的に、撮像手段３は、後述する撮像画像取得部５５から入力される制御信号に基づいて、画像全体の表示領域ＤＡ（図２参照）の外側に設定された後述する監視領域ＭＡ（図２参照）を含む撮像領域ＦＡ（図２参照）を撮像し、得られた撮像画像を制御手段５Ａに出力する。このような撮像手段３による撮像画像の出力は、定期的に行われる。なお、撮像手段３は、本実施形態では、ＣＣＤ（Charge Coupled Device）イメージセンサーを備えて構成されている。
【００２１】
〔操作手段の構成〕
操作手段４は、使用者の操作に応じた操作信号を制御手段５Ａに出力する。この操作手段４は、プロジェクター１Ａの筐体外面に設けられた操作パネルにより構成され、当該操作パネルには、プロジェクター１Ａの電源をオン／オフする電源キー、設定画面（メニュー画面）を表示させるメニューキー、設定画面における項目を選択させる上下左右の方向キー、及び、設定された内容を決定する決定キー等が配設されている。そして、操作手段４は、入力されたキーに応じた操作信号を、制御手段５Ａに出力する。
【００２２】
〔制御手段の構成〕
制御手段５Ａは、ＣＰＵ（Central Processing Unit）及びメモリー等が実装された回路基板として構成され、プロジェクター１Ａ全体を制御する。この制御手段５Ａは、例えば、画像表示手段２の駆動を制御して、外部から入力される画像情報に応じた画像を形成及び表示させるほか、使用者による操作に応じた処理を実行する。
この制御手段５Ａは、入力画像処理部５１、メニュー画像生成部５２、表示画像生成部５３、表示画像出力部５４、撮像画像取得部５５、監視領域設定部５６、変化判定部５７、領域情報取得部５８、処理内容取得部５９、実行部６０及び記憶部６１を備える。
【００２３】
このうち、記憶部６１は、画像形成に利用されるフレームメモリー、取得された撮像画像を記憶するメモリー、及び、プロジェクター１Ａの動作に必要な各種プログラム及びデータを記憶するフラッシュメモリー等により構成されている。例えば、当該フラッシュメモリーは、後述する監視領域ＭＡの位置と、当該位置に応じた処理内容とが関連付けられたＬＵＴ（Look-Up Table）を記憶している。
【００２４】
入力画像処理部５１は、図示しない外部機器や、接続された半導体メモリー等の記憶装置から入力される画像情報（画像信号を含む）を処理し、当該画像情報に応じた画像（以下「入力画像」という場合がある）を、記憶部６１のフレームメモリー上に生成する。この際、入力画像処理部５１は、必要に応じて、入力画像に対して所定の補正処理を行う。
メニュー画像生成部５２は、操作手段４からメニューキーの入力に応じた操作信号が入力された場合に、入力画像に重畳させるＯＳＤメニュー画像を前述のフレームメモリー上に生成する。
【００２５】
表示画像生成部５３は、光変調装置２２の画像形成領域の解像度に応じた入力画像のリサイズ等を行うほか、メニュー画像が生成されている場合に、生成された入力画像に、当該メニュー画像を重畳させた表示画像を生成する。
表示画像出力部５４は、生成された表示画像に応じた駆動信号を前述の光変調装置２２に出力して、画像表示手段２により、当該表示画像を被投射面上に表示させる。
【００２６】
撮像画像取得部５５は、撮像手段３に制御信号を出力し、当該撮像手段３から撮像画像を取得して、当該撮像画像を時系列に沿って記憶部６１に記憶させる。このため、記憶部６１は、少なくとも直近の２つの撮像画像を記憶可能に構成されている。
【００２７】
図２は、表示画像ＤＰの表示領域ＤＡと監視領域ＭＡとの位置関係を示す図である。
監視領域設定部５６は、撮像画像取得部５５により取得された撮像画像において、表示領域ＤＡの外側に、操作された場合（変化が生じた場合）に所定の処理が実行される監視領域ＭＡを設定する。具体的に、監視領域設定部５６は、撮像画像から表示画像ＤＰのエッジを検出して表示領域ＤＡを検出し、当該表示領域ＤＡの外側の複数箇所に、監視領域ＭＡを設定する。このような監視領域設定部５６は、本実施形態では図２に示すように、略矩形の表示領域ＤＡの四隅の外側と、当該表示領域ＤＡの各辺における略中央の外側とに、計８つの監視領域ＭＡ（ＭＡ１〜ＭＡ８）を設定する。
【００２８】
図１に戻り、変化判定部５７は、撮像画像取得部５５とともに、本発明の判定手段を構成する。
この変化判定部５７は、取得された撮像画像に基づいて、監視領域ＭＡが操作されたか否かを判定する。具体的に、変化判定部５７は、撮像画像取得部５５により取得された撮像画像（以下「現在画像」という場合がある）と、当該撮像画像の直前に取得及び記憶された撮像画像（以下「直前画像」という場合がある）とを比較して、直前画像に対して現在画像が変化したか否かを判定し、これにより、監視領域ＭＡが操作されたか否かを判定する。より詳述すると、変化判定部５７は、直前画像及び現在画像の同じ位置の監視領域ＭＡ内の画像を比較して、当該監視領域ＭＡ内に変化があったか否かを判定する。
例えば、変化判定部５７は、監視領域ＭＡに使用者の手や指し棒がかざされたり、或いは、監視領域ＭＡ内にレーザーポインター等による光が含まれたりした場合に、当該監視領域ＭＡ内に変化があったと判定する。この際、直前画像の監視領域ＭＡと、現在画像の監視領域ＭＡとの間で変化量が小さい場合、変化がないと判定するようにしてもよい。
【００２９】
領域情報取得部５８は、変化判定部５７により操作されたと判定された場合に、操作された監視領域ＭＡの情報（該当する監視領域ＭＡの位置や領域番号）を取得する。
処理内容取得部５９は、記憶部６１を参照して、操作されたと判定された監視領域ＭＡの位置に応じた処理内容を取得する。
実行部６０は、本発明の実行手段に相当し、処理内容取得部５９により取得された処理内容に応じた処理を実行する。このような処理として、例えば、表示画像ＤＰを更新しない「フリーズ」、黒画像を表示する「ミュート」、設定画面の表示、カラーモード切替、及び、黒板への投射に対応した黒板モードへの切替等が挙げられる。
【００３０】
〔監視処理〕
図３は、制御手段５Ａにより実行される監視処理を示すフローチャートである。また、図４は、「ミュート」を実行するための操作が使用者により行われる場合の表示画像ＤＰの遷移を示す図である。
制御手段５Ａは、以下に示す監視処理を実行して、監視領域ＭＡに対する使用者の操作に応じた処理を実行する。この監視処理は、記憶部６１に記憶された監視プログラムに沿って行われる。
この監視処理では、図３に示すように、まず、撮像画像取得部５５が、撮像手段３から撮像画像を取得する（ステップＳＡ１）。
【００３１】
この後、変化判定部５７が、撮像画像取得部５５により取得された撮像画像（現在画像）と、当該撮像画像の直前に取得された撮像画像（直前画像）とにおける監視領域ＭＡ内の画像を比較して、直前画像に対して現在画像の監視領域ＭＡが変化したか否かを判定し、当該監視領域ＭＡが操作されたか否かを判定する（ステップＳＡ２）。
ここで、変化判定部５７により変化がない（操作されていない）と判定されると、制御手段５Ａは、処理をステップＳＡ１に戻す）。
【００３２】
一方、例えば、図４（Ａ）から図４（Ｂ）に遷移した場合のように、監視領域ＭＡ４に使用者の手Ｈがかざされるなどして、変化判定部５７により変化があった（操作された）と判定されると、領域情報取得部５８が、変化があったと判定された監視領域ＭＡの情報を取得する（ステップＳＡ３）。すなわち、図４（Ｂ）に示した状態では、監視領域ＭＡ４に変化があったと判定される。
そして、処理内容取得部５９が、記憶部６１のＬＵＴを参照し、変化があったと判定された監視領域の情報に応じた処理内容を取得する（ステップＳＡ４）。
【００３３】
次に、実行部６０が、取得された処理内容に応じた処理を実行する（ステップＳＡ５）。例えば、当該処理内容として「ミュート」が設定されている場合には、実行部６０は、表示画像生成部５３に黒画像を生成させ、当該黒画像に応じた駆動信号を表示画像出力部５４に出力させる。これにより、図４（Ｃ）に示すように、表示領域ＤＡに、黒画像が表示される。
この後、制御手段５ＡはステップＳＡ１に戻り、更なる使用者の操作に備える。
なお、黒画像の表示中に、処理内容として「ミュート」が設定された監視領域ＭＡ４に変化があった場合には、黒画像表示が中断され、再び、入力画像に応じた画像表示が行われる。また、所定時間（例えば１分）経過後に、自動的に「ミュート」を解除するように構成してもよい。
【００３４】
以上説明した本実施形態に係るプロジェクター１Ａによれば、以下の効果がある。
入力画像を含む表示画像ＤＰが表示される表示領域ＤＡの外側に設定された監視領域ＭＡを操作して、当該撮像画像における監視領域ＭＡに応じた領域内に変化を生じさせることにより、当該監視領域ＭＡに応じた処理を実行部６０に実行させることができる。これによれば、リモコンを操作せずに、プロジェクター１Ａを遠隔操作できる。従って、リモコンを探す手間を省くことができ、プロジェクター１Ａを簡易に操作できる。
また、監視領域ＭＡは、表示領域ＤＡの外側に設定されるので、表示画像ＤＰの一部が視認できなくなる事態を避けることができる。従って、プレゼンテーション等での画像表示を妨げることなく、当該プロジェクター１Ａを操作できる。
【００３５】
変化判定部５７は、監視領域ＭＡを撮像する撮像手段３により撮像され、撮像画像取得部５５により取得された撮像画像（現在画像及び直前画像）に基づいて、監視領域ＭＡに変化が生じたか否かを判定する。これによれば、比較的大きな面積を有する監視領域ＭＡの一部に変化が生じた場合でも、監視領域ＭＡに変化が生じたか否かを判定できる。従って、監視領域ＭＡが操作されたか否かを適切に判定できる。
【００３６】
〔第２実施形態〕
次に、本発明の第２実施形態について説明する。
本実施形態に係るプロジェクターは、前述のプロジェクター１Ａと同様の構成を備える。しかしながら、監視領域ＭＡに対する操作が行われた後に、当該監視領域ＭＡに応じた処理を実行するか否かを確認する確認画像を表示する点で、本実施形態に係るプロジェクターとプロジェクター１Ａとは相違する。なお、以下の説明では、既に説明した部分と同一または略同一である部分については、同一の符号を付して説明を省略する。
【００３７】
図５は、本実施形態に係るプロジェクター１Ｂの構成を示すブロック図である。
本実施形態に係るプロジェクター１Ｂは、図５に示すように、制御手段５Ａに代えて制御手段５Ｂを有するほかは、プロジェクター１Ａと同様の構成を有する。また、制御手段５Ｂは、メニュー画像生成部５２に代えて、メニュー画像生成部５２Ｂを有し、更に、操作内容判定部６２を有するほかは、制御手段５Ａと同様の構成を有する。
【００３８】
メニュー画像生成部５２Ｂは、メニュー画像生成部５２と同様の機能を有するほか、使用者による監視領域ＭＡの操作が行われ、変化判定部５７により当該監視領域ＭＡに変化が生じたと判定された際に、当該監視領域ＭＡに応じた処理を実行するか否かの確認画像を生成する。この確認画像は、ＯＳＤメニュー画像であり、表示画像生成部５３により入力画像に重畳され、表示画像ＤＰとして表示領域ＤＡ内に表示される。
操作内容判定部６２は、確認画像の表示中に行われた使用者による監視領域ＭＡの操作に基づいて、当該監視領域ＭＡに応じた処理を実行するか否かを判定する。
【００３９】
図６は、制御手段５Ｂにより実行される監視処理を示すフローチャートである。また、図７は、前述の「ミュート」を実行するか否かを確認する確認画像の表示中に行われる使用者の操作に応じた表示画像ＤＰの遷移を示す図である。
制御手段５Ｂは、以下に示す監視処理を実行して、監視領域ＭＡに対する使用者の操作に応じた処理を実行する。この監視処理は、前述のプロジェクター１Ａと同様に、記憶部６１に記憶された監視プログラムに沿って行われる。
【００４０】
この監視処理では、図６に示すように、前述のステップＳＡ１〜ＳＡ４を実行する。
このステップＳＡ４の後、メニュー画像生成部５２Ｂが、処理内容取得部５９により取得された内容の処理を実行するか否かの確認画像を生成する（ステップＳＢ１）。
この確認画像は、前述のように、表示画像生成部５３により入力画像に重畳されて表示画像ＤＰが生成され、当該表示画像ＤＰに応じた駆動信号が画像表示手段２に出力されることにより、被投射面上に表示される。これにより、図７における左側に示すように、監視領域ＭＡ４に関連付けられた処理（ミュート）を実行するか否かの確認画像が、表示領域ＤＡ内に表示される。この確認画像では、監視領域ＭＡ４が使用者により操作（変化）された場合に当該処理が実行され、監視領域ＭＡ８が使用者により操作（変化）された場合に当該処理は実行されないことを示すメッセージが含まれる。
【００４１】
この後、撮像画像取得部５５が、再度撮像画像を取得し（ステップＳＢ２）、変化判定部５７が、当該撮像画像と直前の撮像画像とを比較して、監視領域ＭＡ４，ＭＡ８が操作（変化）されたか否かを判定する（ステップＳＢ３）。
ここで、変化判定部５７により、監視領域ＭＡ４，ＭＡ８のいずれも変化がないと判定された場合には、当該監視領域ＭＡ４，ＭＡ８のいずれかが変化されるまで、ステップＳＢ２，ＳＢ３を繰り返し実行する。
【００４２】
一方、変化判定部５７により、変化があったと判定された場合には、操作内容判定部６２が、領域情報取得部５８により取得された監視領域ＭＡの情報に基づいて、前述の処理（ミュート）を実行するか否かを判定する（ステップＳＢ４）。
ここで、該当する監視領域ＭＡが監視領域ＭＡ８であり、操作内容判定部６２が当該処理を実行しないと判定した場合には、処理をステップＳＡ１に戻す。このため、図７における右上に示すように、前述の確認画像の表示中に監視領域ＭＡ８が操作された場合には、表示画像ＤＰに変化はない。
【００４３】
また、ステップＳＢ４での判定にて、該当する監視領域ＭＡが監視領域ＭＡ４であり、操作内容判定部６２が当該処理を実行すると判定した場合には、実行部６０が、確認画像にて示された処理を実行する（ステップＳＡ５）。このため、図７における右下に示すように、前述の確認画像の表示中に監視領域ＭＡ４が操作された場合には、「ミュート」が実行され、表示画像ＤＰとして黒画像が表示される。
この後、制御手段５ＢはステップＳＡ１に戻り、更なる使用者の操作に備える。
なお、前述の確認画像は、プロジェクター１Ｂの設定により、表示しないようにすることも可能である。この場合には、プロジェクター１Ａと同様の監視処理を行えばよい。
【００４４】
以上説明した本実施形態に係るプロジェクター１Ｂによれば、前述のプロジェクター１Ａと同様の効果を奏することができるほか、以下の効果がある。
操作された監視領域ＭＡに応じた処理が実行される際には、確認画像が表示される。これによれば、意図せずに監視領域ＭＡを操作してしまった場合でも、確認画像の表示中に、対応する処理を実行しないようにすることができる。また、このような確認画像を設定画面として表示することも可能であるので、複数設けられた監視領域ＭＡのうちのいずれかを操作させることで、リモコンを用いずに、複数の選択項目から少なくとも１つの選択項目を選択させる設定画面を構成することも可能となる。
【００４５】
〔第３実施形態〕
次に、本発明の第３実施形態について説明する。
本実施形態に係るプロジェクターは、前述のプロジェクター１Ａ，１Ｂと同様の構成を備える。ここで、当該プロジェクター１Ａ，１Ｂでは、監視領域ＭＡは、監視領域設定部５６により撮像画像中に設定される領域であるため、使用者にとってはどこまでが監視領域ＭＡであるのかが把握しづらかった。これに対し、本実施形態に係るプロジェクターは、当該監視領域ＭＡに応じた領域を視覚化する点で、プロジェクター１Ａ，１Ｂと相違する。なお、以下の説明では、既に説明した部分と同一または略同一である部分については、同一の符号を付して説明を省略する。
【００４６】
図８は、本実施形態に係るプロジェクター１Ｃの構成を示すブロック図である。
本実施形態に係るプロジェクター１Ｃは、図８に示すように、制御手段５Ｂに代えて、制御手段５Ｃを有するほかは、プロジェクター１Ｂと同様の構成を有する。また、制御手段５Ｃは、表示画像生成部５３に代えて、表示画像生成部５３Ｃを有し、また、更に領域画像生成部６３を有するほかは、制御手段５Ｂと同様の構成を有する。
【００４７】
領域画像生成部６３は、撮像画像において監視領域設定部５６により設定される監視領域ＭＡ（ＭＡ１〜ＭＡ８）に応じた位置に、当該監視領域ＭＡを示す監視領域画像ＭＰ（ＭＰ１〜ＭＰ８）（図９参照）を生成する。例えば、本実施形態では、領域画像生成部６３は、当該監視領域画像ＭＰとして、所定の配色が施された画像を生成する。
【００４８】
図９は、プロジェクター１Ｃにより投射される表示画像ＤＰを示す図である。
表示画像生成部５３Ｃは、表示画像生成部５３と同様の機能を有する。また、表示画像生成部５３Ｃは、表示画像ＤＰの生成の際に、図９に示すように、入力画像処理部５１により処理され、リサイズされた入力画像ＩＰを中央の入力画像領域ＰＡに設定する。また、表示画像生成部５３Ｃは、当該入力画像領域ＰＡの外側で、かつ、監視領域ＭＡに応じた位置にそれぞれ対応する監視領域画像ＭＰを設定し、表示画像ＤＰを生成する。この際、表示画像生成部５３Ｃは、入力画像領域ＰＡの外側で監視領域画像ＭＰ以外の領域に、当該監視領域画像ＭＰに設定された配色とは異なる配色が施され、非監視領域であることを示す非監視領域画像ＮＭＰを配置する。この表示画像ＤＰ全体の解像度は、光変調装置２２の画像形成領域の解像度に対応する。
なお、メニュー画像生成部５２Ｂにより、メニュー画像及び確認画像が生成されている場合には、当該各画像は、入力画像ＩＰに重畳された上で、入力画像領域ＰＡに応じたサイズにリサイズされる。
【００４９】
このようにして生成された表示画像ＤＰに応じた駆動信号は、表示画像出力部５４により画像表示手段２に出力され、当該画像表示手段２により被投射面上に表示される。すなわち、領域画像生成部６３、表示画像生成部５３Ｃ及び表示画像出力部５４は、画像表示手段２とともに、本発明の領域表示手段を構成する。
ここで、監視領域画像ＭＰ及び非監視領域画像ＮＭＰは、それぞれ輝度レベルが低い画像（詳述すると、入力画像ＩＰの平均輝度レベルより輝度レベルが低い画像）である。このため、入力画像ＩＰのコントラストが低下することが抑制できるほか、使用者の手Ｈや赤外光の検出を容易に行うことができる。
なお、制御手段５Ｃにより実行される監視処理は、前述の制御手段５Ｂによる監視処理と同様である。
【００５０】
以上説明した本実施形態に係るプロジェクター１Ｃによれば、前述のプロジェクター１Ｂと同様の効果を奏することができるほか、以下の効果を奏することができる。
プロジェクター１Ｃにより表示される表示画像ＤＰには、監視領域ＭＡ（ＭＡ１〜ＭＡ８）に対応する位置にそれぞれ配置される監視領域画像ＭＰ（ＭＰ１〜ＭＰ８）が含まれる。これによれば、監視領域ＭＡの位置を視覚的に把握することができるので、当該監視領域ＭＡに対する操作を行いやすくすることができる。従って、プロジェクター１Ｃの操作性を向上することができる。
【００５１】
図１０は、プロジェクター１Ｃの変形であるプロジェクター１Ｄの構成を示すブロック図である。
なお、前述のプロジェクター１Ｃでは、入力画像ＩＰ、監視領域画像ＭＰ及び非監視領域画像ＮＭＰを含む表示画像ＤＰを生成し、当該表示画像ＤＰを表示させたが、これに限らず、他の方法で監視領域ＭＡを視覚化するようにしてもよい。
例えば、プロジェクター１Ｃの変形であるプロジェクター１Ｄは、図１０に示すように、画像表示手段２、撮像手段３、操作手段４及び制御手段５Ｂのほか、領域表示手段７を備える。この領域表示手段７は、制御手段５Ｂの制御下で点灯する光源を備え、当該光源から出射された所定の色光ＣＬにより、スクリーンＳＣにおける前述の各監視領域ＭＡに応じた位置を照明して、当該各監視領域ＭＡを視覚化する。このような光源としては、ＬＥＤ（Light Emitting Diode）等の固体光源を例示できる。
【００５２】
このようなプロジェクター１Ｄによれば、前述のプロジェクター１Ｃと同様に、監視領域ＭＡの位置を把握しやすくなるので、プロジェクター１Ｄの操作性を向上できる。この他、光変調装置２２の画像形成領域全体で入力画像ＩＰを形成して、表示画像ＤＰとして投射することができる。これにより、監視領域画像ＭＰ及び非監視領域画像ＮＭＰの分だけ入力画像ＩＰを小さくリサイズする必要がない。従って、表示される入力画像ＩＰの解像度の低下を抑制できる。
【００５３】
〔第４実施形態〕
次に、本発明の第４実施形態について説明する。
本実施形態に係るプロジェクターは、前述のプロジェクター１Ａと同様の構成を備える。ここで、プロジェクター１Ａでは、監視領域ＭＡのうちの１つに変化が生じた場合に、当該監視領域ＭＡに対応する処理を制御手段５Ａが実行するとしていた。これに対し、本実施形態に係るプロジェクターは、所定の順序で複数の監視領域ＭＡに変化が生じた場合に、当該変化の順序に応じた処理を制御手段が実行する。この点で、本実施形態に係るプロジェクターとプロジェクター１Ａとは相違する。なお、以下の説明では、既に説明した部分と同一または略同一である部分については、同一の符号を付して説明を省略する。
【００５４】
図１１は、本実施形態に係るプロジェクター１Ｅの構成を示すブロック図である。
本実施形態に係るプロジェクター１Ｅは、図１１に示すように、制御手段５Ａに代えて、制御手段５Ｅを有するほかは、プロジェクター１Ａと同様の構成を有する。また、制御手段５Ｅは、処理内容取得部５９に代えて、処理内容取得部５９Ｅを有し、更に変化順序列生成部６４を有するほかは、制御手段５Ａと同様の構成を有する。
【００５５】
変化順序列生成部６４は、時間を計時する計時部を有し、変化判定部５７により監視領域ＭＡに変化があった判定された場合に、まず、計時部による計時時間の初期化及び計時の開始を行う。そして、変化順序列生成部６４は、当該計時時間が所定時間（例えば、２秒）に達するまでの間に、領域情報取得部５８により取得された監視領域ＭＡの情報を追加した変化順序列を生成する。なお、変化順序列生成部６４は、計時時間が所定時間を経過したと判定した場合には、当該計時時間及び変化順序列の初期化を行う。
処理内容取得部５９Ｅは、変化順序列取得部６４により取得された順序列に対応する処理内容が、記憶部６１のＬＵＴに登録されている場合に、当該処理内容を取得する。この処理内容取得部５９Ｅによる処理内容の取得が行われた場合には、変化順序列生成部６４は、計時時間及び変化順序列の初期化を行う。
【００５６】
図１２は、監視領域ＭＡ１〜ＭＡ４に生じた変化の順序を示す図である。
ここで、図１２に示すように、使用者により操作されるレーザーポインターの光により監視領域ＭＡ１、ＭＡ４、ＭＡ２、ＭＡ３の順に操作され、当該順序に応じた処理内容が記憶部６１のＬＵＴに登録されている場合を一例として、変化順序列生成部６４及び処理内容取得部５９Ｅの動作について説明する。
変化判定部５７により、監視領域ＭＡ１が操作されたことと判断されると、変化順序列生成部６４は、計時時間を初期化して「０」から計時を開始し、領域情報取得部５８により取得された監視領域ＭＡ１の情報（領域番号等）を変化順序列に追加する。ここで、当該変化順序列に応じた処理内容が記憶部６１のＬＵＴに登録されていれば、処理内容取得部５９Ｅによる当該処理内容の取得が行われ、計時時間及び変化順序列の初期化が行われる。しかしながら、前述のように、この段階では対応する処理内容はＬＵＴに登録されていない。このため、変化順序列生成部６４は、計時時間が所定時間を経過したか否かを判定する。そして、経過していれば、変化順序列生成部６４は計時時間及び変化順序列を初期化し、経過していなければ、当該変化順序列生成部６４は使用者による操作が継続していると判断する。
【００５７】
当該計時時間が所定時間を経過する前に、変化判定部５７により、監視領域ＭＡ４に変化が生じたことが認識されると、監視領域ＭＡ４に変化があったと判定されたタイミングで、変化順序列生成部６４は再度「０」から計時を開始する。更に、監視領域ＭＡ２、ＭＡ３の順にそれぞれ当該所定時間内に変化が生じたと変化判定部５７により認識されると、同様に、変化順序列生成部６４は、変化が生じた監視領域の情報を、当該変化が認識された順に変化順序列にそれぞれ追加する。なお、処理内容取得部５９Ｅによる当該変化順序列に基づくＬＵＴの参照は、変化順序列に監視領域ＭＡの情報が追加されたタイミングで、それぞれ実行される。
そして、監視領域ＭＡ１、ＭＡ４、ＭＡ２、ＭＡ３の情報が追加された変化順序列に応じた処理内容はＬＵＴに登録されているので、処理内容取得部５９Ｅが当該処理内容を取得し、変化順序列生成部６４が計時時間及び変化順序列を初期化する。
このようにして、監視領域ＭＡに対する操作順（変化順）に応じた処理内容が取得され、当該処理内容に応じた処理が実行部６０により実行される。
【００５８】
図１３は、制御手段５Ｅにより行われる監視処理を示すフローチャートである。
制御手段５Ｅは、以下に示す監視処理を実行して、監視領域ＭＡに対する使用者の操作に応じた処理を実行する。この監視処理は、前述の場合と同様に、記憶部６１に記憶された監視プログラムに沿って行われる。
この監視処理では、まず、変化順序列生成部６４が計時時間を初期化した上で、図１３に示すように、前述のステップＳＡ１〜ＳＡ２が実行される。
【００５９】
このステップＳＡ２にて、変化判定部５７により、操作されていない（監視領域ＭＡ１〜ＭＡ８に変化がない）と判定された場合には、変化順序列生成部６４が、計時時間が前述の所定時間を経過したか否かを判定する（ステップＳＥ１）。
ここで、当該計時時間が所定時間を経過していないと判定された場合（計時時間が初期化された後、計時が開始されていない場合を含む）には、制御手段５ＥはステップＳＡ１に戻る。
また、当該計時時間が所定時間を経過したと判定された場合には、変化順序列生成部６４は、計時時間及び変化順序列を初期化し（ステップＳＥ２，ＳＥ３）、制御手段５ＥはステップＳＡ１に戻る。
【００６０】
一方、ステップＳＡ２にて、変化判定部５７により、操作された（監視領域ＭＡ１〜ＭＡ８のいずれかの領域に変化があった）と判定された場合には、変化順序列生成部６４が、計時時間を初期化した後、「０」から計時を開始する（ステップＳＥ４，ＳＥ５）。
この後、領域情報取得部５８が、操作されたと判定された監視領域ＭＡの情報を取得し（ステップＳＡ３）、変化順序列生成部６４が、当該監視領域ＭＡの情報を変化順序列に追加する（ステップＳＥ６）。
このステップＳＥ３の後、処理内容取得部５９Ｅが、当該変化順序列に対応する処理内容が記憶部６１のＬＵＴに登録されているか否かを判定する（ステップＳＥ７）。
ここで、当該処理内容が登録されていないと判定されると、制御手段５ＥはステップＳＡ１に戻り、登録されていると判定されると、制御手段５ＥはステップＳＥ８に進む。
【００６１】
ステップＳＥ８では、処理内容取得部５９Ｅが、生成された変化順序列に対応する処理内容をＬＵＴから取得し（ステップＳＥ８）、変化順序列生成部６４が、計時時間及び変化順序列の初期化を行う（ステップＳＥ９，ＳＥ１０）。そして、実行部６０が、取得された処理内容に応じた処理を実行する（ステップＳＡ５）。
この後、制御手段５ＥはステップＳＡ１に戻り、更なる使用者の操作に備える。
なお、プロジェクター１Ｅでは、前述のプロジェクター１Ａと同様に、１つの監視領域ＭＡに対する操作に応じて、当該監視領域ＭＡに対応する処理を即座に実行するように切り替えてもよい。また、変化順序列に応じた処理を実行する際に、前述のプロジェクター１Ｂと同様の確認画像を表示するようにプロジェクター１Ｅを構成してもよい。更に、前述のステップＳＥ７にて、該当する処理内容が登録されていないと判定された場合には、ステップＳＥ１に処理を進めるようにしてもよい。
【００６２】
以上説明した本実施形態に係るプロジェクター１Ｅによれば、前述のプロジェクター１Ａと同様の効果を奏することができるほか、以下の効果を奏することができる。
複数の監視領域ＭＡに対する操作が特定の順番で行われることで、当該各監視領域ＭＡの情報が当該特定の順番に設定された変化順序列に応じた処理を実行部６０が実行するので、使用者が意図せずに監視領域ＭＡを操作した場合に、意図しない処理が実行されることを防止できる。また、設定された監視領域ＭＡの数以上の処理をプロジェクター１Ｅに実行させることができる。
【００６３】
〔第５実施形態〕
次に、本発明の第５実施形態について説明する。
本実施形態に係るプロジェクターは、前述のプロジェクター１Ａ〜１Ｅと同様の構成を有する。ここで、当該プロジェクター１Ａ〜１Ｅでは、入力画像が表示される領域の外側に監視領域ＭＡが設定されていた。これに対し、本実施形態に係るプロジェクターでは、入力画像が表示される領域の内側に監視領域が設定される。この点で、本実施形態に係るプロジェクターとプロジェクター１Ａ〜１Ｅとは相違する。なお、以下の説明では、既に説明した部分と同一または略同一である部分については、同一の符号を付して説明を省略する。
【００６４】
図１４は、本実施形態に係るプロジェクター１Ｆの構成を示すブロック図である。
本実施形態に係るプロジェクター１Ｆは、制御手段５Ａに代えて、制御手段５Ｆを有するほかは、プロジェクター１Ａと同様の構成を有する。
この制御手段５Ｆは、入力画像処理部５１、パターン画像生成部６５、表示画像生成部５３Ｆ、表示画像出力部５４、撮像画像取得部５５、監視領域設定部５６Ｆ、変化判定部５７Ｆ、領域情報取得部５８Ｆ、処理内容取得部５９Ｆ、実行部６０及び記憶部６１を備える。
【００６５】
図１５は、プロジェクター１Ｆの操作時の表示画像ＤＰの遷移を示す図である。このうち、図１５（Ａ）は、表示画像ＤＰを示し、図１５（Ｂ）は、当該表示画像ＤＰの右隅に配置されたパターン画像ＰＴが使用者の手Ｈにより覆われた状態を示している。また、図１５（Ｃ）は、使用者の当該操作により「ミュート」が実行された状態を示している。
このうち、パターン画像生成部６５は、図１５（Ａ）に示すように、入力画像ＩＰに重畳されるパターン画像ＰＴを生成する。なお、本実施形態では、パターン画像生成部６５は、三角形状及び星型等の複数種類のパターン画像ＰＴを生成する。
【００６６】
図１４に戻り、表示画像生成部５３Ｆは、入力画像処理部５１により処理された入力画像ＩＰにパターン画像ＰＴを重畳した表示画像ＤＰを生成する。この際、表示画像生成部５３Ｆは、図１５（Ａ）において示したように、表示画像ＤＰにおける複数の箇所に、それぞれ種類の異なるパターン画像ＰＴを配置する。
監視領域設定部５６Ｆは、撮像画像取得部５５により取得された表示画像ＤＰを含む撮像画像からパターン画像ＰＴを検出し、当該パターン画像ＰＴが位置する領域を監視領域ＭＡに設定する。
【００６７】
変化判定部５７Ｆは、現在画像における監視領域ＭＡと直前画像における監視領域ＭＡとに変化が生じたか否かを判定し、当該監視領域ＭＡに対する操作が行われたか否かを判定する。例えば、図１５（Ｂ）に示すように、星型のパターン画像ＰＴが使用者の手Ｈにより覆われた場合には、当該パターン画像ＰＴに応じた監視領域ＭＡの画像が、直前画像と現在画像とで異なるため、変化判定部５７Ｆは、当該監視領域ＭＡに変化があった（操作された）と判定する。なお、パターン画像ＰＴの位置に、レーザーポインターの赤外光が照射された場合や、指し棒が当てられた場合も同様である。このように、変化判定部５７Ｆの判定対象は、各撮像画像における監視領域ＭＡの画像であり、入力画像ＩＰが異なるだけでは変化があったとは判定されない。
【００６８】
領域情報取得部５８Ｆは、変化判定部５７Ｆにより操作されたと判定された監視領域ＭＡの情報を取得する。
処理内容取得部５９Ｆは、領域情報取得部５８Ｆにより取得された監視領域ＭＡの情報に応じた処理内容を、記憶部６１のＬＵＴから取得する。なお、当該処理内容は、実行部６０により実行される。このため、例えば、星型のパターン画像ＰＴに応じた監視領域ＭＡに対応する処理内容が「ミュート」である場合には、図１５（Ｃ）に示すように、表示画像ＤＰとして黒画像が表示される。
このような制御手段５Ｆは、前述の制御手段５Ａが行う監視処理と同様の監視処理を実行し、これにより、監視領域ＭＡに対する使用者の操作に応じた処理を実行する。
【００６９】
以上説明した本実施形態に係るプロジェクター１Ｆによれば、前述のプロジェクター１Ａと同様の効果を奏することができる。
すなわち、パターン画像ＰＴにより、監視領域ＭＡの位置を把握できるほか、撮像画像における監視領域ＭＡの画像が変化するように、表示画像ＤＰにおけるパターン画像ＰＴを覆う等の操作を行うことにより、プロジェクター１Ｆを操作することができる。従って、プロジェクター１Ｆを簡易に操作できる。
【００７０】
〔実施形態の変形〕
本発明は前述の実施形態に限定されるものではなく、本発明の目的を達成できる範囲での変形、改良等は本発明に含まれるものである。
前記第１〜第４実施形態では、監視領域ＭＡは、矩形状の入力画像領域ＰＡの四隅及び各辺の略中央の外側に計８つ設定するとしたが、本発明はこれに限らない。すなわち、監視領域ＭＡの位置は、入力画像領域ＰＡの外側であればよく、特に、当該入力画像領域ＰＡ近傍であればよい。また、監視領域ＭＡの大きさ及び数も適宜設定可能である。例えば、入力画像領域ＰＡの外周に沿って１つの監視領域ＭＡを設定してもよい。
【００７１】
前記各実施形態では、監視手段としてＣＣＤイメージセンサーを有する撮像手段３を採用したが、本発明はこれに限らない。例えば、ＣＭＯＳ（Complementary Metal Oxide Semiconductor）デバイスを有する撮像手段を採用してもよい。また、監視領域ＭＡに赤外線等の光を出射し、当該監視領域ＭＡにて反射された光が受光されるか否かにより、監視領域ＭＡが操作されたか否か（監視領域ＭＡに変化が生じたか否か）を判定するように構成してもよい。
【００７２】
前記各実施形態では、実行部６０が実行する処理として、「フリーズ」、「ミュート」、設定画面の表示、カラーモード切替、及び、黒板への投射に対応した黒板モードへの切替等を例示し、主に「ミュート」を実行する場合について説明したが、本発明はこれらに限らない。すなわち、実行手段としての実行部が他の処理を実行してもよい。
【００７３】
前記第１実施形態では、監視領域ＭＡに対する操作が行われた場合に、制御手段５Ａが当該監視領域ＭＡに関連付けられた処理を実行するとし、前記第２実施形態では、当該処理を実行するか否かの確認画像を表示するとした。また、前記第３実施形態では、監視領域ＭＡに応じた位置に監視領域画像ＭＰを表示、或いは、当該監視領域ＭＡに応じた位置を領域表示手段７により照明して、当該監視領域ＭＡを視覚化した。更に、前記第４実施形態では、制御手段５Ｅが、複数の監視領域ＭＡの変化順（操作順）に関連付けられた処理を実行するとした。しかしながら、これらはそれぞれ独立した構成ではなく、互いに組合せて各機能を実現するようにしてもよい。すなわち、前記各実施形態で示した構成のうち、必要な機能を実現する構成を組み込んだプロジェクターとしてもよく、全ての機能を実現する構成を有するプロジェクターとしてもよい。
【００７４】
前記第４実施形態では、変化順序列に応じた処理内容がＬＵＴに登録されてなく、かつ、計時時間が所定時間を経過した際には、計時時間及び変化順序列を初期化するとしたが、本発明はこれに限らない。例えば、所定数の監視領域ＭＡの情報で構成された変化順序列に応じて処理内容が登録されたＬＵＴを有しているが、監視処理により所定時間内に認識された監視領域ＭＡの情報が当該所定数を超えて変化順序列に追加された場合には、変化順序列生成部が、直近に認識されたものから当該所定数分の監視領域ＭＡの情報によって変化順序列を再度生成し直すようにしてもよい。この場合、計時時間が所定時間を経過する前に、当該所定数を超えて更に監視領域ＭＡの操作が行われた場合、最初の監視領域ＭＡの情報を削除し、新たに操作された監視領域ＭＡの情報を追加した変化順序列を生成するようにしてもよい。
【００７５】
例えば、ＬＵＴに登録された処理内容が、４つの監視領域ＭＡの情報が設定された変化順序列に対応する場合で、既に監視処理により認識された４つの監視領域ＭＡの情報による変化順序列がＬＵＴに登録された処理内容に対応していない状態から更に監視領域ＭＡが操作された場合には、変化順序列に最初に設定された監視領域ＭＡの情報を削除し、更に操作された監視領域ＭＡの情報を当該変化順序列に追加するようにしてもよい。この場合、計時時間が所定時間を経過するまで、及び、対応する処理内容が取得されるまでは、変化順序列には４つ以下の監視領域ＭＡの情報が設定されることとなる。このため、使用者による監視領域ＭＡに対する操作時に、最初に誤った監視領域に変化を与えてしまった場合でも、当該操作の途中から適切な操作（ＬＵＴに登録されている操作）が行われれば、ＬＵＴに登録された処理内容に応じた処理を実行できる。
【００７６】
前記第５実施形態では、変化判定部５７Ｆは、現在画像と直前画像とを比較することにより、監視領域ＭＡに変化が生じたか否かを判定するとしたが、本発明はこれに限らない。例えば、現在画像と、入力画像に基づいて表示画像生成部５３Ｆにより生成された表示画像ＤＰとを比較して、監視領域ＭＡに変化が生じたか否かを判定することにより、当該監視領域ＭＡが操作されたか否かを判定するように構成してもよい。
【００７７】
前記第５実施形態では、パターン画像ＰＴとして、星型及び三角形の図形の画像を例示したが、本発明はこれに限らない。すなわち、円形状及び矩形状等の他の形状を有するパターン画像を採用してもよい。
【産業上の利用可能性】
【００７８】
本発明は、プロジェクターに好適に利用できる。
【符号の説明】
【００７９】
１Ａ〜１Ｆ…プロジェクター、２…画像表示手段、３…撮像手段（監視手段）、７…領域表示手段、５３Ｃ…表示画像生成部（領域表示手段）、５４…表示画像出力部（領域表示手段）、５５…撮像画像取得部（判定手段）、５７…変化判定部（判定手段）、６０…実行部（実行手段）、６３…領域画像生成部（領域表示手段）。
【図１】
2011209531.tif 000003
【図２】
2011209531.tif 000004
【図３】
2011209531.tif 000005
【図４】
2011209531.tif 000006
【図５】
2011209531.tif 000007
【図６】
2011209531.tif 000008
【図７】
2011209531.tif 000009
【図８】
2011209531.tif 000010
【図９】
2011209531.tif 000011
【図１０】
2011209531.tif 000012
【図１１】
2011209531.tif 000013
【図１２】
2011209531.tif 000014
【図１３】
2011209531.tif 000015
【図１４】
2011209531.tif 000016
【図１５】
2011209531.tif 000017